(57)【特許請求の範囲】
【請求項１】
所定間隔を開けて平行に配設された一対の吸引搬送ベルトに吸引保持された状態で搬送されてくるシート状に折り畳まれた筒状のフィルムを、その片面を吸引保持することによって受け取って、フィルム装着装置に送出するテイクアップ部材を備えたフィルム受渡装置であって、
前記テイクアップ部材は、一対の前記吸引搬送ベルト間を通過する保持部と、少なくとも一方の前記吸引搬送ベルトの外側を通過する補助部とを備え、
前記保持部は、一対の前記吸引搬送ベルト間を通過する際、一対の前記吸引搬送ベルトによって搬送されてくるフィルムを吸引保持することにより、前記吸引搬送ベルトからフィルムを受け取るようになっており、
前記補助部は、前記保持部に吸引保持された前記フィルムが幅広の場合、前記保持部から張り出したフィルムの少なくとも一方の側部を支えるようになっていることを特徴とするフィルム受渡装置。
【発明の詳細な説明】
【技術分野】
【０００１】
この発明は、例えば、瓶、ボトル等の被装着体にストレッチラベルやシュリンクラベル等の筒状のフィルムを装着するためのフィルム装着システムにおいて、フィルム供給装置とフィルム装着装置との間でフィルムの受け渡しを行うフィルム受渡装置に関する。
【背景技術】
【０００２】
例えば、瓶やボトル等の胴部外周面にストレッチラベルやシュリンクラベル等の筒状フィルムを装着するフィルム装着システムには、シート状に折り畳まれた長尺帯状の筒状フィルムを順次切断することによって所定長の筒状フィルムを形成しながら順次供給するフィルム供給装置と、このフィルム供給装置によって供給される所定長の筒状フィルムを瓶やボトル等の胴部外周面に装着するフィルム装着装置とを備えたものがあり、こういったフィルム装着システムでは、フィルム供給装置によって供給される所定長の筒状フィルムが、フィルム受渡装置を介して、フィルム装着装置に引き渡されるようになっている。
【０００３】
前記フィルム供給装置は、図６に示すように、所定長に切断された筒状フィルムＦを、所定間隔を開けて平行に配設された一対の吸引搬送ベルト８１、８１に吸引保持した状態で、第１のフィルム受渡位置εまで搬送するようになっており、フィルム受渡装置は、一対の吸引搬送ベルト８１、８１によって第１のフィルム受渡位置εに搬送されてくる所定長の筒状フィルムＦを、一対の吸引搬送ベルト８１、８１間を通過するテイクアップ部材７１の保持部７２が引っかけて吸引保持することによって受け取った後、その状態で第２のフィルム受渡位置ζまで搬送し、図７（ａ）、（ｂ）に示すように、第２のフィルム受渡位置ζにおいて、フィルム装着装置のフィルムオープナー９１の揺動アーム９２が筒状フィルムＦを把持することによって受け取るようになっている。
【０００４】
従って、テイクアップ部材７１の保持部７２は、同図（ａ）に示すように、テイクアップ部材７１によって搬送されてくる筒状フィルムＦを把持する揺動アーム９２のコ字状の把持部９３と干渉しないように、コ字状の把持部９３と噛み合う櫛歯状に形成されており、筒状フィルムＦの当接面には、吸引穴７２ａが形成されている。
【０００５】
【特許文献１】特開２００３−２３７７４９号公報
【発明の開示】
【発明が解決しようとする課題】
【０００６】
しかしながら、こういったフィルム受渡装置では、同図に二点鎖線で示すように、シート状に折り畳まれた筒状フィルムＦの幅（折径）が大きくなると、筒状フィルムＦの幅方向の中央部を吸引保持しているテイクアップ部材７１の保持部７２の外側に張り出すフリーな領域が大きくなるので、テイクアップ部材７１による筒状フィルムＦの搬送中に、保持部７２の外側に大きく張り出した筒状フィルムＦの側部がテイクアップ部材７１の移動方向の後方側に折れ曲がってしまい、フィルム装着装置のフィルムオープナー９１が筒状フィルムＦを適正に把持することができなくなる。
【０００７】
従って、そのような場合は、保持部の幅が広いテイクアップ部材に交換すると共に、交換したテイクアップ部材に合わせて、フィルム供給装置の吸引搬送ベルト８１、８１の間隔も広げなければならず、段取り替えが繁雑になるという問題がある。特に、フィルム受渡装置には、通常、複数のテイクアップ部材が設けられているので、全てのテイクアップ部材を交換しなければならず、段取り替えにかなりの時間と労力を要することになる。
【０００８】
そこで、この発明の課題は、ボトル等の被装着体に装着しようとするフィルムを、幅（折径）の異なるフィルムに変更する場合であっても、段取り替えを容易に行うことができるフィルム受渡装置を提供することにある。
【課題を解決するための手段】
【０００９】
上記の課題を解決するため、請求項１にかかる発明は、所定間隔を開けて平行に配設された一対の吸引搬送ベルトに吸引保持された状態で搬送されてくるシート状に折り畳まれた筒状のフィルムを、その片面を吸引保持することによって受け取って、フィルム装着装置に送出するテイクアップ部材を備えたフィルム受渡装置であって、前記テイクアップ部材は、一対の前記吸引搬送ベルト間を通過する保持部と、少なくとも一方の前記吸引搬送ベルトの外側を通過する補助部とを備え、前記保持部は、一対の前記吸引搬送ベルト間を通過する際、一対の前記吸引搬送ベルトによって搬送されてくるフィルムを吸引保持することにより、前記吸引搬送ベルトからフィルムを受け取るようになっており、前記補助部は、前記保持部に吸引保持された前記フィルムが幅広の場合、前記保持部から張り出したフィルムの少なくとも一方の側部を支えるようになっていることを特徴とするフィルム受渡装置を提供するものである。
【発明の効果】
【００１１】
以上のように、請求項１にかかる発明のフィルム受渡装置では、一対の吸引搬送ベルト間を通過する保持部だけではなく、少なくとも一方の吸引搬送ベルトの外側を通過する補助部をテイクアップ部材に設け、保持部に吸引保持されたフィルムが幅広の場合、保持部から張り出したフィルムの少なくとも一方の側部を補助部によって支えるようにしたので、保持部の一方の外側にフィルムが大きく張り出す場合であっても、フリーな領域が極端に大きくなることがなく、テイクアップ部材によるフィルムの搬送中にフィルムの側部が後方側に大きく折れ曲がることがないので、幅広のフィルムについてもフィルム装着装置が適正な状態で確実に受け取ることができる。
【００１２】
従って、幅（折径）の異なるフィルムに変更する場合であっても、テイクアップ部材を交換したり、交換するテイクアップ部材に合わせて、吸引搬送ベルトの間隔を広げたりする必要がなく、段取り替えを容易に行うことができる。
【発明を実施するための最良の形態】
【００１５】
以下、実施の形態について図面を参照して説明する。図１は、ＰＥＴボトル（以下、ボトルという。）Ｂにポリエステル系樹脂、ポリスチレン系樹脂等からなる熱収縮性フィルムによって形成された筒状のシュリンクラベル（以下、ラベルという。）Ｌを装着するためのラベル装着システム１を示しており、このラベル装着システム１は、ベルトコンベア７、スターホイール２ａ、スクリューコンベア２ｂ及びスターホイール２ｃからなるボトル供給装置２と、基材繰出部３ａによって基材ロールから繰り出された長尺のラベル形成基材Ｍを順次切断しながらラベルＬを形成し、そのラベルＬを第１のラベル受渡位置αに順次供給するラベル供給装置３と、このラベル供給装置３によって第１のラベル受渡位置αに供給されたラベルＬを受け取って第２のラベル受渡位置βに搬送するラベル受渡装置４と、ボトル供給位置γにおいて前記ボトル供給装置２から供給されたボトルＢを受け取り、ボトル送出位置δまで搬送すると共に、前記ラベル受渡装置４によって搬送されてきたラベルＬを第２のラベル受渡位置βにおいて受け取り、ボトルＢをボトル供給位置γからボトル送出位置δまで搬送する間に、ラベルＬをボトルＢに装着するロータリ型のラベル装着装置５と、このラベル装着装置５によってラベルＬが装着されたボトルＢを搬出する、スターホイール６ａ及びベルトコンベア７からなるボトル搬送装置６とから構成されている。
【００１６】
なお、前記ラベル形成基材Ｍは、ボトルＢに装着する筒状のラベルＬが連続的に繋がったものであり、前記基材繰出部３ａにおいてはシート状に折り畳んだ状態でドラムに巻回されている。また、基材繰出部３ａから繰り出されたシート状のラベル形成基材Ｍを切断することによって形成された所定長のラベルＬは、図３に示すように、所定間隔を開けて平行に配設された一対の吸引搬送ベルト３ｂ、３ｂに吸引保持された状態で、フィルム供給位置αまで搬送されるようになっている。
【００１７】
前記ラベル受渡装置４は、図１〜図３に示すように、第１のラベル受渡位置αと第２のラベル受渡位置βとを通るように一定の回転速度で回転する複数本のテイクアップ部材１０を備えており、シート状に折り畳まれた状態で第１のラベル受渡位置αに供給されるラベルＬを、テイクアップ部材１０が受け取って、ラベル装着装置５に送出するようになっている。
【００１８】
前記テイクアップ部材１０は、図４に示すように、ラベル受渡位置αにおいて、一対の吸引搬送ベルト３ｂ、３ｂ間を通過する保持部１１と、一方（テイクアップ部材１０の回転の中心側）の吸引搬送ベルト３ｂの外側を通過する補助部１４とを備えており、保持部１１及び補助部１４は、逆Ｌ字状の共通のベースアーム１０ａに連設されている。
【００１９】
前記保持部１１は、ベースアーム１０ａに立設された基部１２と、長さの異なる複数種類のラベルＬを支持することができるように、基部１２に並列的に連設された上下５本の支持アーム１３とを備えており、基部１２は、その上端側のラベル支持面に形成された２個の吸引孔１２ａと、この吸引孔１２ａに連通する吸引路（図示せず）とを有していると共に、上から２番目の支持アーム１３は、そのラベル支持面に形成された吸引孔１３ａと、この吸引孔１３ａを、基部１２に形成された吸引路に連通させる吸引路（図示せず）とを有している。
【００２０】
前記補助部１４は、ベースアーム１０ａに立設された基部１５と、長さの異なる複数種類のラベルＬを支持することができるように、基部１５に並列的に連設された上下３本の短い支持アーム１６とを備えており、ベースアーム１０ａには、保持部１１と補助部１４との間に、下方側に延びる垂下アーム１７が連設されている。
【００２１】
従って、一定の回転速度で回転しているテイクアップ部材１０が、第１のラベル受渡位置αを通過する際、一対の吸引搬送ベルト３ｂ、３ｂに吸引保持された状態で供給されたラベルＬを引っかけるようにして、ラベルＬを受け取ることになるが、テイクアップ部材１０がラベルＬを受け取った状態では、図４に示すように、保持部１１における最上位の支持アーム１３にラベルＬの上端縁が位置するように、複数本の支持アーム１３によってラベルＬの片面の中央部が支持されると共に、少なくとも、ラベルＬの上端部付近が保持部１１のラベル支持面に吸引保持されており、幅広のラベルＬの場合は、保持部１１から張り出した一方（テイクアップ部材１０の回転の中心側）の側部が補助部１４によって支持されることになる。
【００２２】
そして、この状態で、テイクアップ部材１０がラベルＬを第２のラベル受渡位置βまで搬送するが、幅広のラベルＬの場合は、保持部１１から張り出した他方（テイクアップ部材１０の回転の外向側）の側部が全く支持されないことになるので、図５に示すように、円軌道上を移動しているテイクアップ部材１０の移動方向の後方側に、ラベルＬが折れ曲がることになる。従って、このラベル受渡装置４では、同図に示すように、第２のラベル受渡位置βの直前で、テイクアップ部材１０の保持部１１から張り出したラベルＬの他方の側部に、移動方向の後方側からエアを連続的に吹き付けてラベルＬの折れ曲がりを修正する姿勢修正ユニット１８が設置されている。この姿勢修正ユニット１８は、エア吹出ノズル（口径：１ｍｍ）が縦方向に多段（隣り合うノズル中心の間隔が３ｍｍ、最上位のノズル中心と最下位のノズル中心との間隔が３９ｍｍ）に配設されており、エアの吹出角度を調整することができるようになっている。
【００２３】
前記ラベル装着装置５は、図１及び図２に示すように、回転軸（図示せず）に取り付けられた複数の支持円盤２１、２２、２３を介して、回転軸を中心とした同心円上に一定間隔で取り付けられた多数のラベル装着ヘッド２０を備えており、各ラベル装着ヘッド２０によって、第２のラベル受渡位置βにおいて受け取ったシート状に折り畳まれた筒状のラベルＬがボトルＢの外径より大きく拡開され、この拡開されたラベルＬが、ボトル供給位置γにおいて受け取ったボトルＢがボトル送出位置δまで搬送される途中で、ボトルＢの胴部に装着されるようになっている。
【００２４】
前記ラベル装着ヘッド２０は、ボトル供給位置γにおいて受け取ったボトルＢをボトル保持台３１に載置した状態に保持するボトル保持手段３０と、第２のラベル受渡位置βにおいて受け取ったシート状に折り畳まれたラベルＬを、筒状に開口するラベルオープナー４０と、このラベルオープナー４０によって開口された筒状のラベルＬを、ボトルＢの外径より大きく拡開するラベル拡開手段５０と、このラベル拡開手段５０によって拡開されたラベルＬをボトル保持台３１に載置されたボトルＢに嵌挿するラベル嵌挿手段６０とから構成されており、第２のラベル受渡位置βにおいて受け取ったシート状に折り畳まれた状態のラベルＬがラベルオープナー４０によって筒状に開口された後、ラベル拡開手段５０によってさらに拡開され、ボトル供給位置γにおいて受け取ったボトルＢがボトル保持台３１に保持された状態でボトル送出位置δまで搬送される途中で、ボトルＢの外径より大きく拡開されたラベルＬが、ラベル嵌挿手段６０によって、ボトルＢの胴部に嵌挿されるようになっている。
【００２５】
前記ラベルオープナ４０は、図２に示すように、テイクアップ部材１０の櫛歯状の保持部１１と噛み合う櫛歯状の把持部が先端に取り付けられた開閉可能な一対の揺動アーム４１と、把持面に形成された吸引口から吸引することで、シート状に折り畳まれた状態のラベルＬの両面をそれぞれ把持部に吸引保持させる図示しない吸引手段と、一対の揺動アーム４１を開閉させる開閉駆動手段４２とから構成されており、ラベル受渡ユニット４のテイクアップ部材１０に片面が吸引保持された状態で搬送されてきたシート状に折り畳まれたラベルＬを、第２のラベル受渡位置βにおいて、図３及び図５示すように、一対の揺動アーム４１の把持部が把持することによって受け取った後、ラベルＬの両面を把持部にそれぞれ吸引保持した状態で、その揺動アーム４１を開いてラベルＬの両面を相互に離間させることにより、ラベルＬを筒状に開口するようになっている。
【００２６】
前記ラベル拡開手段５０は、図２に示すように、支持円盤２３に昇降可能に支持された円筒状の支持部材５１と、この支持部材５１の下端部に取り付けられたラベル拡開機構部５２と、支持部材５１を昇降させるためのカム機構５３とから構成されており、支持部材５１が降下することにより、ラベルオープナー４０によって開口されたラベルＬにラベル拡開機構部５２が挿入されるようになっている。
【００２７】
前記ラベル拡開機構部５２は、支持部材５１の下端部に固定された基台部５２ａと、この基台部５２ａに、先端側（下端側）が開閉するように、基端部（上端部）が支持された４本の開閉杆５２ｂと、この開閉杆５２ｂの先端側を閉方向に付勢する図示しないばねと、このばねによって閉方向に付勢された開閉杆５２ｂを開閉させる図示しないカム機構とから構成されており、ラベルオープナー４０によって開口されたラベルＬに、閉じた状態の開閉杆５２ｂが挿入された後、開閉杆５２ｂが開くことによって、ラベルＬが拡開されるようになっている。
【００２８】
支持部材５１を昇降させるカム機構５３は、図２に示すように、ラベル装着ヘッド２０の上部を取り囲む円筒体５４に形成されたカム溝５４ａと、このカム溝５４ａに嵌り込む、支持部材５１の上端部に支持されたローラ５５とから構成されており、ラベル装着ヘッド２０が回転軸を中心に回転することによって、ローラ５５がカム溝５４ａに沿って昇降しながら移動し、これに伴って、ローラ５５が支持されている支持部材５１が昇降するようになっている。
【００２９】
前記ラベル嵌挿手段６０は、支持円盤２３に昇降可能に支持された支持棒６１と、この支持棒６１の下端部に取り付けられたラベル押込板６２と、支持棒６１を昇降させるためのカム機構６３とから構成されており、ラベル押込板６２には、４本の開閉杆５２ｂ全体を挿通するための図示しない穴が形成されている。
【００３０】
前記カム機構６３は、ラベル装着ヘッド２０を取り囲む前記円筒体５４に形成された第２のカム溝５４ｂと、このカム溝５４ｂに嵌り込む、支持棒６１の中間部に支持されたローラ６４とから構成されており、ラベル装着ヘッド２０が回転軸を中心に回転することによって、ローラ６４が第２のカム溝５４ｂに沿って昇降しながら移動し、これに伴って、ローラ６４が支持されている支持棒６１が昇降するようになっている。
【００３１】
従って、ラベル拡開手段５０の開閉杆５２ｂによってラベルＬが拡開された後、ラベル押込板６２が開閉杆５２ｂに沿って降下すると、ラベル押込板６２によってラベルＬが下方側に押し下げられ、その直下に位置しているボトルＢの胴部にラベルＬが嵌挿される。
【００３２】
なお、ローラ５５及びローラ６４は、図２に示すように、取付部材５６及び取付部材６５を介して、支持部材５１及び支持棒６１にそれぞれ支持されているが、取付部材５６は支持棒６１に、取付部材６５は支持部材５１にそれぞれ摺動自在に支持されており、長尺の支持部材５１及び支持棒６１が相互に支持し合うことにより双方の支持安定性を高めている。
【００３３】
以上のように、このラベル装着システム１では、ラベル受渡装置４のテイクアップ部材１０が、第１のラベル受渡位置αにおいて、一対の吸引搬送ベルト３ｂ、３ｂ間を通過する保持部１１だけではなく、一方の吸引搬送ベルト３ｂの外側を通過する補助部１４を備えているので、保持部１１に吸引保持されたラベルＬが幅広の場合、保持部１１から張り出したラベルＬの一方の側部を補助部１４によって支えることができる。これにより、保持部１１の一方の外側にラベルＬが大きく張り出す場合であっても、ラベルＬにおける支持されていないフリーな領域が極端に大きくなることがなく、テイクアップ部材１０によるラベルＬの搬送中にラベルＬの側部が後方側に大きく折れ曲がって、テイクアップ部材１０の裏面側に回り込むことがないので、幅広のラベルＬについてもラベルオープナー４０の揺動アーム４１が適正な状態で確実に把持することができる。
【００３４】
また、幅広のラベルＬの場合は、保持部１１から張り出した他方の側部が全く支持されないことになるので、上述したように、円軌道上を移動しているテイクアップ部材１０の移動方向の後方側に、ラベルＬが折れ曲がることになるが、このラベル受渡装置４では、第２のラベル受渡位置βの直前位置において、姿勢修正ユニット１８により、テイクアップ部材１０の保持部１１から張り出したラベルＬの他方の側部に、移動方向の後方側からエアを吹き付けてラベルＬの折れ曲がりを修正するようにしたので、幅広のラベルＬについてもラベルオープナー４０の揺動アーム４１が適正な状態で確実に把持することができる。
【００３５】
従って、このラベル受渡装置４では、幅（折径）の異なるラベルに変更する場合であっても、テイクアップ部材１０を交換したり、交換したテイクアップ部材１０の保持部１１の幅に合わせて、吸引搬送ベルト３ｂ、３ｂの間隔を広げたりする必要がなく、段取り替えを容易に行うことができる。
【００３６】
また、テイクアップ部材１０には、ベースアーム１０ａの保持部１１と補助部１４との間、即ち、保持部１１が吸引保持するラベルＬの一方の側部側に垂下アーム１７が連設されているので、ラベルＬを装着するボトルＢが大型ボトルであっても、テイクアップ部材１０がボトルに干渉することがなく、しかも、ロングラベルに対応することができる。従って、ロングラベルに対応するために、ラベル装着ヘッド２０を上方側に持ち上げる必要がなく、ラベル装着装置５をコンパクトにすることができる。
【００３７】
なお、上述した実施形態では、保持部１１と同様に、補助部１４を櫛歯状に形成しているが、補助部１４はラベルオープナー４０の揺動アーム４１と干渉しない位置にあるので、必ずしも、櫛歯状にする必要はなく、プレート状にすることも可能である。
【００３８】
また、上述した実施形態では、テイクアップ部材１０に、その保持部１１から張り出したラベルＬの一方の側部を支える補助部１４を設けているが、ラベルＬを受け取るラベル装着装置５のラベルオープナー４０と干渉しないのであれば、保持部１１の両側に補助部を設けることも可能であり、その場合は、上述した姿勢修正ユニット１８を省略することができる。
【００３９】
また、上述した実施形態では、補助部１４がラベルＬの一方の側部を支えるだけであるが、これに限定されるものではなく、保持部１１と同様に、ラベルＬを吸引保持するようにしてもよい。
【００４０】
また、上述した実施形態では、エア吹出ノズルが縦方向に多段に配設された姿勢修正ユニット１８を採用しているが、これに限定されるものではなく、縦長のスリット状のエア吹出口を有するノズルを採用することも可能であり、ラベルＬの高さに応じて、使用するノズルの段数やスリットの長さを調整するといった具合に、エアの吹出範囲を調整することができるようにしておくことが望ましい。特に、ラベル受渡装置４の運転状態（例えば、ラベルＬのサイズ、テイクアップ部材１０の回転速度（停止状態を含む）等）に応じて、姿勢修正ユニット１８のエア吹き出しの強弱、吹出幅、吹出位置（角度）、入切等の制御を行う制御手段を設けておくことで、より適切な姿勢修正を行うことが可能となる。
【００４１】
また、上述した実施形態では、高速運転に対応するために、エア吹出ノズルからエアを連続的に吹き出すようにしているが、これに限定されるものではなく、低速運転の場合は、ラベルの通過タイミングに合わせてエアを断続的に吹き付けるようにしてもよい。
【００４２】
また、上述した実施形態では、第２のラベル受渡位置βの直前で、ラベルＬの他方の側部にエアを吹き付けることにより、ラベルの搬送姿勢を修正するようにしているが、これに限定されるものではなく、テイクアップ部材１０の移動経路に沿って、第１のラベル受渡位置αと第２のラベル受渡位置βとの間に複数の姿勢修正ユニットを設置し、ラベルＬの搬送姿勢を段階的に修正するようにしてもよい。
【００４３】
また、上述した実施形態では、ＰＥＴボトルＢにシュリンクラベルＬを装着する場合について説明したが、被装着体は上述したようなＰＥＴボトルＢに限定されるものではなく、本発明のフィルム受渡装置は、瓶、缶等の種々の容器や筒状体にストレッチラベルやシュリンクラベル等のシート状に折り畳まれた筒状のフィルムを装着する場合に適用することができることは言うまでもない。
【図面の簡単な説明】
【００４４】
【図１】この発明にかかるフィルム受渡装置の一実施形態であるラベル受渡装置を備えたラベル装着システムを示す概略平面図である。
【図２】同上のラベル装着システムにおけるラベル装着装置（ラベル装着ヘッド）を示す概略図である。
【図３】同上のラベル装着システムにおけるラベル受渡装置を示す概略図である。
【図４】同上のラベル受渡装置に搭載されたテイクアップ部材を示す正面図である。
【図５】同上のラベル受渡装置によるラベルの搬送状態を示す概略図である。
【図６】従来のラベル受渡装置に搭載されたテイクアップ部材を示す正面図である。
【図７】（ａ）は同上のラベル受渡装置のテイクアップ部材からラベル装着装置のラベルオープナーにラベルを引き渡す状態を示す図、（ｂ）は同上のラベルオープナーを示す平面図である。
【符号の説明】
【００４５】
１  ラベル装着システム
３  ラベル供給装置
３ｂ  吸引搬送ベルト
４  ラベル受渡装置（フィルム受渡装置）
５  ラベル装着装置（フィルム装着装置）
１０  テイクアップ部材
１１  保持部
１２  基部
１２ａ、１３ａ  吸引孔
１３  支持アーム
１４  補助部
１５  基部
１６  支持アーム
１７  垂下アーム
１８  姿勢修正ユニット（姿勢修正手段）
２０  ラベル装着ヘッド
３０  ボトル保持手段
４０  ラベルオープナー
４１  揺動アーム
４２  開閉駆動手段
５０  ラベル拡開手段
６０  ラベル嵌挿手段
α  第１のラベル受渡位置
β  第２のラベル受渡位置
Ｂ  ＰＥＴボトル
Ｌ  シュリンクラベル
【図１】
0004833661.tif 000002
【図２】
0004833661.tif 000003
【図３】
0004833661.tif 000004
【図４】
0004833661.tif 000005
【図５】
0004833661.tif 000006
【図６】
0004833661.tif 000007
【図７】
0004833661.tif 000008